(57)【要約】【課題】取付けおよび取外しを簡単に行うことができる揚重用冶具およびカーテンウォールユニットを提供すること。【解決手段】揚重用冶具１０は、屋内側冶具１１と屋外側冶具１２との二部材を備える。屋内側冶具１１は、屋内見付け片部１１１および屋内係合部１１２を有し、上枠２０の屋内上片部２３と上下方向に係合する。屋外側冶具１２は、屋外見付け片部１２１および屋外係合部１２２を有し、上枠２０の屋外上片部２４と上下方向に係合する。屋内見付け片部１１１および屋外見付け片部１２１には吊上げ孔部１１４，１２４が形成される。屋外側冶具１２は、上枠２０に対してスライド移動可能に構成される。屋内側冶具１１および屋外側冶具１２は、屋内係合部１１２および屋外係合部１２２を屋内上片部２３および屋外上片部２４の間の上部開口２５にそれぞれ挿入可能な見込み寸法を有する。【選択図】図５
2020084705.tif 000002
【特許請求の範囲】
【請求項１】
上枠、下枠および左右の縦枠を備えたカーテンウォールユニットを吊り上げる揚重用冶具であって、
前記上枠は、上枠本体部と、前記上枠本体部の上面から上方に延出した屋内上片部および屋外上片部とを有し、
前記揚重用冶具は、屋内側冶具と、前記屋内側冶具に対して屋外側に配置される屋外側冶具とを備え、
前記屋内側冶具は、屋内見付け片部と、前記屋内上片部に対して係合可能に前記屋内見付け片部から突出した屋内係合部とを有し、
前記屋外側冶具は、前記屋内見付け片部との接合状態で当該屋内見付け片部に対しての移動が規制される屋外見付け片部と、前記屋外上片部に対して係合可能に前記屋外見付け片部から突出した屋外係合部とを有し、
前記屋内見付け片部および前記屋外見付け片部のうちの少なくとも一方には吊上げ孔部が形成され、
前記屋外係合部および前記屋内係合部のうちの一方は前記上枠に対して左右方向にスライド移動可能に構成され、
前記屋内側冶具および前記屋外側冶具は、前記屋内係合部および前記屋外係合部を前記屋内上片部および前記屋外上片部の間の上部開口にそれぞれ挿入可能な見込み寸法を有している
ことを特徴とする揚重用冶具。
【請求項２】
請求項１に記載の揚重用冶具において、
前記吊上げ孔部は、前記屋内見付け片部および前記屋外見付け片部の双方に形成され、
前記吊上げ孔部同士は、前記屋内見付け片部および前記屋外見付け片部の接合状態で互いに見込み方向に対向して配置されている
ことを特徴とする揚重用冶具。
【請求項３】
請求項１または請求項２に記載の揚重用冶具において、
前記屋内上片部には係合穴部が形成され、
前記屋内係合部にはその屋内面から突出し且つ前記係合穴部に係合する係合ピンが形成されている
ことを特徴とする揚重用冶具。
【請求項４】
請求項３に記載の揚重用冶具において、
前記屋外上片部はその上端部が屋内側に延出して形成された係合見込み片部を有し、
前記上部開口は前記屋内上片部および前記係合見込み片部によって形成され、
前記屋外側冶具は、前記屋外係合部が前記係合見込み片部に対して上下方向に係合した状態において、左右方向にスライド移動可能に構成され、
前記係合ピンの屋内端面から前記屋内見付け片部の屋外面までの見込み寸法は、前記上部開口に挿入可能な寸法とされ、
前記屋外係合部の屋外面から前記屋外見付け片部の屋内面までの見込み寸法は、前記上部開口に挿入可能な寸法とされている
ことを特徴とする揚重用冶具。
【請求項５】
請求項１から請求項４のいずれか一項に記載の揚重用冶具において、
前記上枠、前記下枠および前記左右の縦枠によって面材が保持され、
前記屋内見付け片部の屋外面および前記屋外見付け片部の屋内面の合わせ位置は、前記面材の見込み範囲内に配置されている
ことを特徴とする揚重用冶具。
【請求項６】
屋内見付け片部および前記屋内見付け片部から屋内側に突出した屋内係合部を有した屋内側冶具と、屋外見付け片部および前記屋外見付け片部から屋外側に突出した屋外係合部を有した屋外側冶具とを備える揚重用冶具に吊り上げられるカーテンウォールユニットであって、
上枠、下枠および左右の縦枠を備え、
前記上枠は、上枠本体部と、前記屋内係合部が係合可能に前記上枠本体部の上面から上方に延出した屋内上片部と、前記屋外係合部が係合可能に前記上枠本体部の上面から上方に延出した屋外上片部とを有し、
前記屋内上片部および前記屋外上片部によって上部開口が形成され、
前記上枠は、前記屋外係合部および前記屋内係合部のうちの一方が左右方向にスライド移動可能に配置される構成とされ、
前記上部開口の見込み方向における開口幅寸法は、前記屋内係合部および前記屋外係合部をそれぞれ挿入可能な寸法とされている
ことを特徴とするカーテンウォールユニット。
【請求項７】
請求項６に記載のカーテンウォールユニットにおいて、
前記屋内係合部にはその屋内面から突出した係合ピンが形成され、
前記屋内上片部には前記係合ピンが係合する係合穴部が形成されている
ことを特徴とするカーテンウォールユニット。
【請求項８】
請求項７に記載のカーテンウォールユニットにおいて、
前記屋外上片部はその上端部が屋内側に延出して形成された係合見込み片部を有し、
前記上部開口は前記屋内上片部および前記係合見込み片部によって形成され、
前記屋外上片部は、前記屋外係合部が前記係合見込み片部に対して上下方向に係合した状態において前記屋外側冶具が左右方向にスライド移動可能となる構成とされ、
前記上部開口の開口幅寸法は、前記屋内係合部および前記屋外係合部を当該上部開口にそれぞれ挿入可能な寸法とされている
ことを特徴とするカーテンウォールユニット。
【請求項９】
請求項７または請求項８に記載のカーテンウォールユニットにおいて、
前記上枠、前記下枠および前記左右の縦枠に沿って水密材が設置され、
前記係合穴部は、前記屋内上片部を見込み方向に貫通して形成され、
前記屋内上片部は、前記水密材によって形成される止水ラインよりも屋内側に配置されている
ことを特徴とするカーテンウォールユニット。
【発明の詳細な説明】
【技術分野】
【０００１】
本発明は、揚重用冶具およびカーテンウォールユニットに関する。
【背景技術】
【０００２】
従来、上枠、下枠および左右の縦枠が方形状に組み立てられてユニット化されたカーテンウォールユニットの上枠に差し込まれて係合し、クレーンから懸垂された吊り金具が接続される吊り上げ用支持部材（揚重用冶具）が知られている（特許文献１参照）。吊り上げ用支持部材は、上枠の上面に沿って配置される基部と、基部から上方に立ち上げられた吊り上げ片と、吊り上げ片よりも室内側において基部から上方に立ち上げられた室内側起立片と、吊り上げ片よりも室外側において基部から上方に立ち上げられた室外側起立片とを一体に有している。
この吊り上げ用支持部材が係合されるカーテンウォールユニットの上枠は、その上面から上方に立ち上げられ、上端部が見込み方向において互いに接近する側に折曲された室内側起立片および室外側起立片を有しており、上枠の上面と室内側起立片および室外側起立片の内面とによって溝部が形成されている。吊り上げ用支持部材は、上枠の溝部にスライド挿入され、吊り上げ用支持部材の室内側起立片および室外側起立片が上枠の室内側起立片および室外側起立片にそれぞれ重ねられながら上下に係合することでカーテンウォールユニットに連結されるようになっている。
カーテンウォールユニットは、これに連結した吊り上げ用支持部材の吊り上げ片に吊り金具を接続し、吊り金具にワイヤーを介してクレーンで吊り上げることで吊り上げられ、所定位置に吊り込まれる。
【先行技術文献】
【特許文献】
【０００３】
【特許文献１】特開平６−１０４３１号公報
【発明の概要】
【発明が解決しようとする課題】
【０００４】
ところで、特許文献１に記載の吊り上げ用支持部材は、上枠にそれぞれ係合する室内側起立片および室外側起立片を有して一体に形成されているので、例えば上枠の溝部に上方から取り付けることはできず、上枠の端部からスライド移動させて差し込む手間がかかる。
また、特許文献１に記載の吊り上げ用支持部材は、吊り込み後もカーテンウォールユニット同士の連結材として利用される場合には、吊り上げ用支持部材を取り外す手間がかからない。しかし、吊り上げ用支持部材を連結材として利用せずに取り外す場合には、吊り上げ用支持部材は、上枠の溝部から上方に取り出すことはできないので上枠の端部までスライド移動させて抜き出す手間がかかる。
【０００５】
本発明は、取付けおよび取外しを簡単に行うことができる揚重用冶具およびカーテンウォールユニットを提供することを目的とする。
【課題を解決するための手段】
【０００６】
本発明の揚重用冶具は、上枠、下枠および左右の縦枠を備えたカーテンウォールユニットを吊り上げる揚重用冶具であって、前記上枠は、上枠本体部と、前記上枠本体部の上面から上方に延出した屋内上片部および屋外上片部とを有し、前記揚重用冶具は、屋内側冶具と、前記屋内側冶具に対して屋外側に配置される屋外側冶具とを備え、前記屋内側冶具は、屋内見付け片部と、前記屋内上片部に対して係合可能に前記屋内見付け片部から突出した屋内係合部とを有し、前記屋外側冶具は、前記屋内見付け片部との接合状態で当該屋内見付け片部に対しての移動が規制される屋外見付け片部と、前記屋外上片部に対して係合可能に前記屋外見付け片部から突出した屋外係合部とを有し、前記屋内見付け片部および前記屋外見付け片部のうちの少なくとも一方には吊上げ孔部が形成され、前記屋外係合部および前記屋内係合部のうちの一方は前記上枠に対して左右方向にスライド移動可能に構成され、前記屋内側冶具および前記屋外側冶具は、前記屋内係合部および前記屋外係合部を前記屋内上片部および前記屋外上片部の間の上部開口にそれぞれ挿入可能な見込み寸法を有していることを特徴とする。
【０００７】
本発明のカーテンウォールユニットは、屋内見付け片部および前記屋内見付け片部から屋内側に突出した屋内係合部を有した屋内側冶具と、屋外見付け片部および前記屋外見付け片部から屋外側に突出した屋外係合部を有した屋外側冶具とを備える揚重用冶具に吊り上げられるカーテンウォールユニットであって、上枠、下枠および左右の縦枠を備え、前記上枠は、上枠本体部と、前記屋内係合部が係合可能に前記上枠本体部の上面から上方に延出した屋内上片部と、前記屋外係合部が係合可能に前記上枠本体部の上面から上方に延出した屋外上片部とを有し、前記屋内上片部および前記屋外上片部によって上部開口が形成され、前記上枠は、前記屋外係合部および前記屋内係合部のうちの一方が左右方向にスライド移動可能に配置される構成とされ、前記上部開口の見込み方向における開口幅寸法は、前記屋内係合部および前記屋外係合部をそれぞれ挿入可能な寸法とされていることを特徴とする。
【発明の効果】
【０００８】
本発明によれば、取付けおよび取外しを簡単に行うことができる揚重用冶具およびカーテンウォールユニットを提供することができる。
【図面の簡単な説明】
【０００９】
【図１】本発明の実施形態に係るカーテンウォールユニットを示す外観姿図。
【図２】前記実施形態に係るカーテンウォールユニットを示す縦断面図。
【図３】前記実施形態に係るカーテンウォールユニットの縦枠側を示す斜視図。
【図４】前記実施形態に係るカーテンウォールユニットの縦枠側を示す斜視図。
【図５】前記実施形態に係るカーテンウォールユニットの要部を示す縦断面図。
【図６】前記実施形態に係るカーテンウォールユニットに設置される揚重用冶具を示斜視図。
【図７】図６に示す揚重用冶具の設置手順を示す説明図。
【発明を実施するための形態】
【００１０】
［本実施形態の構成］
以下、本発明の実施形態を図面に基づいて説明する。
図１において、本実施形態に係るカーテンウォールユニット１は、図７に示す吊り金具９に接続され、吊り金具９に連結されたワイヤー８を介してクレーン等に吊り上げられながら建物の所定位置に吊り込まれてカーテンウォールを構成するものである。カーテンウォールユニット１と吊り金具９との接続には図５に示すように揚重用冶具１０が用いられる。カーテンウォールユニット１は、本実施形態では、アルミ押出形材によって形成された上枠２０、下枠３０および左右の縦枠４０を枠組みした枠体２と、枠体２内に配置された面材としてのガラスパネル３とを備えた窓ユニットによって構成されている。
以下の説明において、カーテンウォールユニット１の左右方向をＸ軸方向とし、カーテンウォールユニット１の上下方向をＹ軸方向とし、カーテンウォールユニット１の見込み方向（屋内外方向）をＺ軸方向とする。Ｘ，Ｙ，Ｚ軸方向は互いに直交する。また、説明の便宜上、揚重用冶具１０の左右方向をＸ軸方向とし、揚重用冶具１０の高さ方向をＹ軸方向とし、揚重用冶具１０の見込み方向をＺ軸方向とする。
【００１１】
上枠２０は、図２に示すように、ガラスパネル３を保持する溝形成部２１を有した上枠本体部２２と、上枠本体部２２の上面２２１から上方に延出した屋内上片部２３および屋外上片部２４とを有している。
上枠本体部２２は、屋内外の枠見付け面部２２２，２２３およびこれらに連続した上下の枠見込み面部２２４，２２５を有して中空枠状に形成されており、屋内側の枠見付け面部２２３には、ブラケット４がボルト止めされる断面略コ字状の取付具６が配置された溝部２２６が形成されている。なお、ブラケット４は上枠２０を建物の柱５に固定している。
内周側の枠見込み面部２２５には下方に延出した屋内保持枠部２２７および屋外保持片部２２８が連続しており、屋内保持枠部２２７および屋外保持片部２２８の間でバックアップ材およびシール材を介してガラスパネル３が保持されている。溝形成部２１は枠見込み面部２２５、屋内保持枠部２２７および屋外保持片部２２８によって構成されている。
屋内上片部２３は、枠見込み面部２２４の上面２２１から上方に真直ぐに延出しており、Ｚ軸方向においてガラスパネル３よりも屋内側に配置されている。また、屋内上片部２３にはＺ軸方向に貫通して設けられた二つの係合穴部２３１（図３〜図５参照）が形成されている。
屋外上片部２４は、枠見込み面部２２４の上面２２１から上方に立ち上げられた屋外立上げ片部２４１と、屋外立上げ片部２４１の上端部から屋内側に延出した係合見込み片部２４２とを有している。
この上枠２０では、係合見込み片部２４２の先端と屋内上片部２３の屋外面とによって上部開口２５が形成されており、枠見込み面部２２４の上面２２１、屋内上片部２３の屋外面、屋外立上げ片部２４１の屋内面および係合見込み片部２４２の下面によって揚重用冶具１０が配置される吊上げ用溝部２６が形成されている。
【００１２】
下枠３０は、中空枠状の下枠本体部３１と、下枠本体部３１から上方に延出した屋内保持枠部３２とを有しており、下枠本体部３１の屋外側部分に押縁３３が係合され、押縁３３および屋内保持枠部３２の間でバックアップ材およびシール材を介してガラスパネル３を保持している。この下枠３０は、図２に示すようにカーテンウォールユニット１の下方に隣接するパネルユニット５０に載せられている。
左右の縦枠４０は互いに同様に構成されている。図３は、図１において一点鎖線で囲んだ部分Ａを示す斜視図であり、説明の便宜上、一部を省略している。図３に示す縦枠４０は柱５に沿って配置されており、中空枠状の縦枠本体部４１と、縦枠本体部４１から屋外側に延出した屋外延出枠部４２とを有している。屋外延出枠部４２には押縁４３が係合され、押縁４３および縦枠本体部４１の間でバックアップ材およびシール材を介してガラスパネル３を保持している。
【００１３】
上枠２０および縦枠４０によって構成されるコーナー部６０は、図２および図３に示すように、屋内上片部２３の屋外面に沿ってコーキング受け部材６１（図２参照）が取り付けられ、屋外上片部２４の屋内面に沿ってコーキング受け部材６２が取り付けられ、係合見込み片部２４２の上面に沿ってＸ軸方向に延びた水密材６３が取り付けられ、上枠２０の端部における屋外面および縦枠４０の屋外延出枠部４２の上端部における側面にわたって水密材６４が取り付けられている。また、上枠２０の屋内外にわたってシーリング材６５が打設されている。なお、シーリング材６５は施工現場にて打設され、シーリング材６５以外の前述した各部材６１〜６４は工場にて取り付けられる。
このように図３に示すコーナー部６０には止水構造が構成されるので、上枠２０の端部からは揚重用冶具１０を差し込んだり抜き出したりできない構成となっている。
【００１４】
図４は、図１において一点鎖線で囲んだ部分Ｂを示す斜視図であり、カーテンウォールユニット１が左右に並んで配置されている。図４に示す各コーナー部６０において、左右の屋内上片部２３にわたってコーキング受け材としてのジョイントパッキン６６が取り付けられ、左右の屋外上片部２４にわたってコーキング受け材としてのジョイントパッキン６７が取り付けられ、左右の係合見込み片部２４２の上面に沿って水密材６３が取り付けられ、左右の上枠２０の端部における屋外面に水密材６４が取り付けられている。また、左右の上枠２０の屋内外にわたってシーリング材６５が打設されている。なお、シーリング材６５は施工現場にて打設され、シーリング以外の各部材６３，６４，６６，６７は工場にて取り付けられる。
このように図４に示す各コーナー部６０には止水構造が構成されるので、上枠２０の端部からは揚重用冶具１０を差し込んだり抜き出したりできない構成となっている。
【００１５】
前述した枠体２では、前述した水密材６３，６４と接続される水密材（図示省略）が左右の縦枠４０および下枠３０に沿って設置されており、これら水密材６３，６４によって屋内外間を止水する止水ライン７０（図２、図５参照）が形成されている。ここで、上枠２０の屋内上片部２３は止水ライン７０に対して屋内側に配置されており、屋外上片部２４は止水ライン７０に対して屋外側に配置されている。
【００１６】
揚重用冶具１０は、図５、図６に示すように、屋内側冶具１１と、屋内側冶具１１に対して屋外側に配置される屋外側冶具１２との二部材を備えている。
屋内側冶具１１は、屋内見付け片部１１１と、屋内見付け片部１１１から屋内側に突出した屋内係合部１１２とを有している。屋内見付け片部１１１は矩形板状に形成されている。屋内見付け片部１１１の屋内面１１１Ａからは軸部１１３がＺ軸方向に突出しており、屋内見付け片部１１１および軸部１１３にはＺ軸方向に貫通した吊上げ孔部１１４が形成されている。
屋内係合部１１２は、屋内見付け片部１１１の下部（下縁部）から屋内側に延出した延出片部１１５と、延出片部１１５の屋内端部から立ち上げられた立上げ片部１１６とを有しており、立上げ片部１１６にその屋内面１１６Ａから突出した左右二つの係合ピン１１７が形成されている。
屋外側冶具１２は、屋内見付け片部１１１との接合状態で当該屋内見付け片部１１１に対してＹ軸方向およびＸ軸方向に移動規制される屋外見付け片部１２１と、屋外見付け片部１２１から屋外側に突出した屋外係合部１２２とを有している。屋外見付け片部１２１は矩形板状に形成されている。屋外見付け片部１２１の屋外面１２１Ａからは軸部１２３がＺ軸方向に突出しており、屋外見付け片部１２１および軸部１２３にはＺ軸方向に貫通した吊上げ孔部１２４が形成されている。
吊上げ孔部１２４は、屋内見付け片部１１１および屋外見付け片部１２１の接合状態で吊上げ孔部１１４に対してＺ軸方向に対向する位置に設けられている。屋外係合部１２２は、上面１２５、下面１２６および屋外面１２７を有して凸形状に形成されている。
【００１７】
以下、上枠２０および揚重用冶具１０の寸法関係などについて図５を参照して説明する。上枠２０の上部開口２５はＺ軸方向において開口幅寸法Ｗ１とされ、枠見込み面部２２４の上面２２１のうち屋内上片部２３および屋外立上げ片部２４１の間における領域は見込み寸法Ｗ２とされている。屋内側冶具１１の係合ピン１１７の屋内端面から屋内見付け片部１１１の屋外面１１１Ｂまでは見込み寸法ＷＡ１とされている。屋外側冶具１２の屋外面１２７から屋外見付け片部１２１の屋内面１２１Ｂまでは見込み寸法ＷＡ２とされ、屋外係合部１２２の上面１２５から下面１２６までは上下寸法Ｈとされている。
屋内側冶具１１の前記見込み寸法ＷＡ１および屋外側冶具１２の前記見込み寸法ＷＡ２は、上部開口２５の開口幅寸法Ｗ１よりもそれぞれ小さい寸法とされており、このため、屋内側冶具１１および屋外側冶具１２を上部開口から吊上げ用溝部２６にそれぞれ挿入可能となっている。
本実施形態では、見込み寸法ＷＡ１は見込み寸法ＷＡ２よりも大きい寸法とされており、このため、屋内見付け片部１１１の屋外面１１１Ｂと屋外見付け片部１２１の屋内面１２１Ｂとの合わせ位置は、屋内上片部２３および屋外上片部２４の間のうち屋外側寄りの位置であってガラスパネル３の見込み範囲内（複層のガラスパネル３を構成する屋外ガラスの屋外面から屋内ガラスの屋内面までの見込み範囲内）に配置される。
屋内側冶具１１の前記見込み寸法ＷＡ１と屋外側冶具１２の前記見込み寸法ＷＡ２とを合わせた寸法は、上枠本体部２２の上面２２１における前記見込み寸法Ｗ２と同等かそれよりも若干小さい寸法とされる。
屋外係合部１２２の前記上下寸法Ｈは、枠見込み面部２２４の上面２２１および係合見込み片部２４２の下面の間の上下寸法と同等かそれよりも若干小さい寸法とされており、これにより、屋外係合部１２２は枠見込み面部２２４および係合見込み片部２４２の間にＸ軸方向にスライド移動可能に配置されて係合見込み片部２４２と上下に係合する。
また、軸部１１３の屋内端面から軸部１２３の屋外端面までの見込み寸法は、吊り金具９の屋内アーム９１および屋外アーム９２間の見込み寸法と同等かそれよりも若干小さい寸法とされている。
【００１８】
以下、本実施形態に係るカーテンウォールユニット１の吊込み手順について説明する。
先ず、上枠２０の両端側に揚重用冶具１０を取り付ける。図７には上枠２０の一端側を示している。先ず、図７（Ａ）に示すように屋内側冶具１１および屋外側冶具１２を準備し、屋内側冶具１１を上枠２０の上部開口２５から吊上げ用溝部２６に挿入して係合ピン１１７を係合穴部２３１に係合する一方、屋外側冶具１２を屋内側冶具１１に対してＸ軸方向に異なる位置で上部開口２５から吊上げ用溝部２６に挿入し、屋外係合部１２２を上枠本体部２２の上面２２１および係合見込み片部２４２の下面の間に配置する。
次に、屋外側冶具１２を屋内側冶具１１に向かってＸ軸方向にスライド移動させ、図７（Ｂ）に示すように屋内見付け片部１１１および屋外見付け片部１２１を重ね合わせる。
次に、軸部材としての軸ピン９３を、吊り金具９の屋内アーム９１および屋外アーム９２と屋内側冶具１１および屋外側冶具１２の吊上げ孔部１１４，１２４（図５参照）とに差し込んでＺ軸方向に貫通させ、これにより、揚重用冶具１０は図７（Ｃ）に示すように上枠２０に係合されると共に吊り金具９に連結される。この連結状態において、屋内側冶具１１および屋外側冶具１２は互いに接合された状態となる。
次に、吊り金具９にワイヤー８を取り付け、ワイヤー８をクレーンなどによって上方に引き上げることで、カーテンウォールユニット１が上方に吊り上げられる。吊り上げられたカーテンウォールユニット１は建物に対する所定位置に吊り込まれ、下枠３０がパネルユニット５０に載せられ、上枠２０がブラケット４を介して建物の柱５に固定される。
カーテンウォールの吊込み後、軸ピン９３を吊上げ孔部１１４，１２４から抜き出して吊り金具９を揚重用冶具１０から取り外し、続いて、屋外側冶具１２をＸ軸方向にスライド移動して上部開口２５から上方に取り出し、屋内側冶具１１の係合ピン１１７を係合穴部２３１から外し、屋内側冶具１１を上部開口２５から取り出すことで、揚重用冶具１０をカーテンウォールユニット１から取り外す。
このようにして、カーテンウォールユニット１を建物に吊り込む。
【００１９】
[変形例]
前記実施形態では、屋内見付け片部１１１および屋外見付け片部１２１に吊上げ孔部１１４，１２４をそれぞれ形成しているが、屋内見付け片部１１１および屋外見付け片部１２１のうちの一方だけに形成されていてもよい。この場合、例えば屋内見付け片部１１１および屋外見付け片部１２１のうちの他方が一方よりも小さい上下寸法とされ、屋内見付け片部１１１および屋外見付け片部１２１同士が重ね合わせられない位置に吊上げ孔部が配置されていてもよい。また、この場合、屋内見付け片部１１１および屋外見付け片部１２１同士はネジや係合機構によって互いに接合され、相互のＸ，Ｙ軸方向の移動が規制される。
前記実施形態では、係合穴部２３１は屋内上片部２３に二つ形成されているが、一つであってもよく、また三つ以上であってもよい。なお、係合ピン１１７の数は係合穴部２３１の数に合わせる。
前記実施形態では、係合穴部２３１は屋内上片部２３を貫通して形成されているが、貫通させずに、屋内上片部２３の屋外面に形成された凹部によって形成されていてもよい。この場合、係合ピンのＺ軸方向における突出寸法は、前記凹部によって形成される係合穴部に収まる寸法とされる。
前記実施形態では、屋内上片部２３に係合穴部２３１が形成され、屋内側冶具１１に係合ピン１１７が形成されているが、これとは逆に、屋内上片部２３に係合ピン１１７が形成され、屋内側冶具１１に係合穴部２３１が形成されていてもよい。また、係合穴部２３１に代えて、例えばＸ軸方向に沿った係合凸部や係合溝部が形成されていてもよく、この場合、屋内側冶具１１には、係合ピン１１７に代えて、前記係合凸部や係合溝部に対して上下に係合可能な係合溝部や係合凸部が形成されていてもよい。このように構成される場合には、例えば屋内上片部２３および屋外上片部２４の間にスライド規制部材を設置して揚重用冶具１０のＸ軸方向における位置ズレを抑制してもよい。
前記実施形態では、屋内上片部２３が上方に真っ直ぐ延びて形成され、且つ、屋外上片部２４がその上端部から屋内側に延出した係合見込み片部２４２を有して形成されているが、例えば屋外上片部２４が上方に真っ直ぐ延びて形成され、且つ、屋内上片部２３がその上端部から屋外側に延出した係合見込み片部を有して形成されていてもよい。この場合、屋内側冶具１１および屋外側冶具１２の構成は入れ替えられて前記屋内上片部２３および屋外上片部２４に係合可能な構成とされる。
前記実施形態では、屋内見付け片部１１１の屋外面１１１Ｂおよび屋外見付け片部１２１の屋内面１２１Ｂの合わせ位置は、ガラスパネル３全体の見込み範囲内に配置されているが、吊上げ可能であれば前記見込み範囲外に配置されていてもよい。
前記実施形態では、枠体２内にガラスパネル３を面材として備えた窓ユニットをカーテンウォールユニット１として説明したが、ガラスパネル３ではなく壁パネルを面材として備えたパネルユニットや、スラットを備えたサッシユニットをカーテンウォールユニットとしてもよい。
【００２０】
[本発明のまとめ]
本発明の揚重用冶具は、上枠、下枠および左右の縦枠を備えたカーテンウォールユニットを吊り上げる揚重用冶具であって、前記上枠は、上枠本体部と、前記上枠本体部の上面から上方に延出した屋内上片部および屋外上片部とを有し、前記揚重用冶具は、屋内側冶具と、前記屋内側冶具に対して屋外側に配置される屋外側冶具とを備え、前記屋内側冶具は、屋内見付け片部と、前記屋内上片部に対して係合可能に前記屋内見付け片部から突出した屋内係合部とを有し、前記屋外側冶具は、前記屋内見付け片部との接合状態で当該屋内見付け片部に対しての移動が規制される屋外見付け片部と、前記屋外上片部に対して係合可能に前記屋外見付け片部から突出した屋外係合部とを有し、前記屋内見付け片部および前記屋外見付け片部のうちの少なくとも一方には吊上げ孔部が形成され、前記屋外係合部および前記屋内係合部のうちの一方は前記上枠に対して左右方向にスライド移動可能に構成され、前記屋内側冶具および前記屋外側冶具は、前記屋内係合部および前記屋外係合部を前記屋内上片部および前記屋外上片部の間の上部開口にそれぞれ挿入可能な見込み寸法を有していることを特徴とする。
本発明の揚重用冶具によれば、屋内側冶具および屋外側冶具の二部材によって構成されるので、先ず、屋内側冶具および屋外側冶具を、上枠の長手方向に異なる位置で屋内上片部および屋外上片部の間の上部開口から入れ込み、屋内係合部および屋外係合部を屋内上片部および屋外上片部に対して係合し、次に、屋内側冶具および屋外側冶具のうちの一方を他方に対して左右方向にスライド移動させ、屋内見付け片部および屋外見付け片部を接合させる。このようにすることで、例えば一部材によって構成される揚重用冶具を上枠の長手方向における端部から差し込んで取り付ける場合と比べて、屋内側冶具および屋外側冶具を上枠に対して上方からそれぞれ挿入することができ、このため、揚重用冶具をカーテンウォールユニットに簡単に取り付けることができる。
また、屋内側冶具および屋外側冶具のうちの一方を他方に対してスライド移動することで、屋内側冶具および屋外側冶具を屋内上片部および屋外上片部の間の上部開口から上方に抜き出せる。このようにすることで、例えば一部材によって構成される揚重用冶具を上枠の長手方向における端部から抜き出して取り外す場合と比べて、屋内側冶具および屋外側冶具を上枠に対して上方に抜き出せるので、揚重用冶具をカーテンウォールユニットから簡単に取り外すことができる。
このように本発明の揚重用冶具を用いることで、カーテンウォールユニットの建物への吊込み作業性を向上できる。
【００２１】
本発明の揚重用冶具では、前記吊上げ孔部は、前記屋内見付け片部および前記屋外見付け片部の双方に形成され、前記吊上げ孔部同士は、前記屋内見付け片部および前記屋外見付け片部の接合状態で互いに見込み方向に対向して配置されてもよい。
このような構成によれば、例えば屋内見付け片部および屋外見付け片部の吊上げ孔部に対して軸部材を貫通させることができ、この軸部材を吊り金具に連結することで、カーテンウォールを吊上げ可能な状態にできる。また、軸部材を吊上げ孔部に貫通させることで、屋内見付け片部および屋外見付け片部を接合できる、揚重用冶具に吊り金具を装着する構成とは別個に、屋内見付け片部および屋外見付け片部を接合するための構成を備える必要がなく、揚重用冶具の構成の簡略化を図ることができる。
【００２２】
本発明の揚重用冶具では、前記屋内上片部には係合穴部が形成され、前記屋内係合部にはその屋内面から突出し且つ前記係合穴部に係合する係合ピンが形成されていてもよい。
このような構成によれば、前述した係合ピンを係合穴部に係合することで、屋内側冶具は上下方向のみならず左右方向にも移動規制され、屋内側冶具に接合される屋外側冶具も同様に移動規制される。このため、揚重用冶具の左右へのスライド移動を規制するための構成を別個に備える必要がなく、施工性を向上できる。
【００２３】
本発明の揚重用冶具では、前記屋外上片部はその上端部が屋内側に延出して形成された係合見込み片部を有し、前記上部開口は前記屋内上片部および前記係合見込み片部によって形成され、前記屋外側冶具は、前記屋外係合部が前記係合見込み片部に対して上下方向に係合した状態において、左右方向にスライド移動可能に構成され、前記係合ピンの屋内端面から前記屋内見付け片部の屋外面までの見込み寸法は、前記上部開口に挿入可能な寸法とされ、前記屋外係合部の屋外面から前記屋外見付け片部の屋内面までの見込み寸法は、前記上部開口に挿入可能な寸法とされていてもよい。
このような構成によれば、屋内側冶具を上枠の上部開口から挿入して係合ピンを係合穴部に係合させることができる。また、屋外側冶具を上枠の上部開口から挿入できるうえ、屋外係合部を係合見込み片部に対して上下に係合でき、更に、屋外側冶具を左右方向にスライド移動させて屋内側冶具と重ね合わせることができる。
【００２４】
本発明の揚重用冶具では、前記上枠、前記下枠および前記左右の縦枠によって面材が保持され、前記屋内見付け片部の屋外面および前記屋外見付け片部の屋内面の合わせ位置は、前記面材の見込み範囲内に配置されてもよい。
このような構成によれば、重量物である面材に対して鉛直線上で揚重用冶具が吊り金具に吊り上げられるので、カーテンウォールユニット全体をバランスよく吊り上げることができる。
【００２５】
本発明のカーテンウォールユニットは、屋内見付け片部および前記屋内見付け片部から屋内側に突出した屋内係合部を有した屋内側冶具と、屋外見付け片部および前記屋外見付け片部から屋外側に突出した屋外係合部を有した屋外側冶具とを備える揚重用冶具に吊り上げられるカーテンウォールユニットであって、上枠、下枠および左右の縦枠を備え、前記上枠は、上枠本体部と、前記屋内係合部が係合可能に前記上枠本体部の上面から上方に延出した屋内上片部と、前記屋外係合部が係合可能に前記上枠本体部の上面から上方に延出した屋外上片部とを有し、前記屋内上片部および前記屋外上片部によって上部開口が形成され、前記上枠は、前記屋外係合部および前記屋内係合部のうちの一方が左右方向にスライド移動可能に配置される構成とされ、前記上部開口の見込み方向における開口幅寸法は、前記屋内係合部および前記屋外係合部をそれぞれ挿入可能な寸法とされていることを特徴とする。
本発明のカーテンウォールユニットによれば、前述したように、屋内側冶具および屋外側冶具の二部材を備える揚重用冶具を、上枠に対して上方から簡単に取り付けることができる一方、上枠に対して上方から簡単に取り外すことができるカーテンウォールユニットを構成でき、カーテンウォールユニットの建物への吊込み作業性を向上できる。
なお、本発明のカーテンウォールユニットには、上枠、下枠および左右の縦枠によって形成される開口に壁パネルなどの面材が配置されたパネルユニットや、開口にガラスパネルなどの面材やスラットが配置されたサッシユニットなどが含まれる。
【００２６】
本発明のカーテンウォールユニットでは、前記屋内係合部にはその屋内面から突出した係合ピンが形成され、前記屋内上片部には前記係合ピンが係合する係合穴部が形成されていてもよい。
このような構成によれば、係合穴部に係合ピンが係合されることで、前述したように揚重用冶具は左右へのスライド移動が規制され、このため、揚重用冶具の左右へのスライド移動を規制するための構成を別個に備える必要がなく、施工性を向上できる。
【００２７】
本発明のカーテンウォールユニットでは、前記屋外上片部はその上端部が屋内側に延出して形成された係合見込み片部を有し、前記上部開口は前記屋内上片部および前記係合見込み片部によって形成され、前記屋外上片部は、前記屋外係合部が前記係合見込み片部に対して上下方向に係合した状態において前記屋外側冶具が左右方向にスライド移動可能となる構成とされ、前記上部開口の開口幅寸法は、前記屋内係合部および前記屋外係合部を当該上部開口にそれぞれ挿入可能な寸法とされていてもよい。
このような構成によれば、上枠の上部開口に屋内側冶具を挿入して係合穴部に係合ピンを係合させることができる。また、上枠の上部開口に屋外側冶具を挿入できるうえ、係合見込み片部に対して屋外係合部を上下に係合させることができ、更に、屋外側冶具が左右方向にスライド移動可能であるので屋内側冶具と重ね合わせることができる。
【００２８】
本発明のカーテンウォールユニットでは、前記上枠、前記下枠および前記左右の縦枠に沿って水密材が設置され、前記係合穴部は、前記屋内上片部を見込み方向に貫通して形成され、前記屋内上片部は、前記水密材によって形成される止水ラインよりも屋内側に配置されていてもよい。
このような構成によれば、屋内上片部が止水ラインよりも屋内側に配置されるので、屋内上片部に貫通した係合穴部が形成されていても水密性に影響することがない。また、係合ピンの係合穴部に対する係合を目視確認しやすくなって吊り込み作業性を向上できる。
【符号の説明】
【００２９】
１…カーテンウォールユニット、１０…揚重用冶具、１１…屋内側冶具、１１１…屋内見付け片部、１１２…屋内係合部、１１３…軸部、１１４…吊上げ孔部、１１５…延出片部、１１６…立上げ片部、１１７…係合ピン、１２…屋外側冶具、１２１…屋外見付け片部、１２２…屋外係合部、１２３…軸部、１２４…吊上げ孔部、２…枠体、２０…上枠、２２…上枠本体部、２２１…上面、２３…屋内上片部、２３１…係合穴部、２４…屋外上片部、２４１…屋外立上げ片部、２４２…係合見込み片部、２５…上部開口、２６…吊上げ用溝部、３…ガラスパネル（面材）、３０…下枠、４…ブラケット、４０…縦枠、５…柱、５０…パネルユニット、６０…コーナー部、６３，６４…水密材、７０…止水ライン、９…吊り金具、９３…軸ピン（軸部材）、Ｈ…上下寸法、Ｗ１…開口幅寸法、Ｗ２，ＷＡ１，ＷＡ２…見込み寸法。
【図１】
2020084705.tif 000003
【図２】
2020084705.tif 000004
【図３】
2020084705.tif 000005
【図４】
2020084705.tif 000006
【図５】
2020084705.tif 000007
【図６】
2020084705.tif 000008
【図７】
2020084705.tif 000009